【事件の表示】
　特願２００５−２７５９８９「バッテリー寿命を延長するための、データ送信を同期させる方法」拒絶査定不服審判事件〔平成１８年　１月２６日出願公開、特開２００６−　２５４６３〕について、次のとおり審決する。
【結　論】
　本件審判の請求は、成り立たない。
【理　由】
１　手続の経緯・本願発明　
　本願は，平成１５年５月２日（パリ条約による優先権主張平成１４年５月６日、米国）を国際出願日とする特願２００４−５０４４２３号の一部を、平成１７年９月２２日に分割出願したものであって、平成２１年７月３０日付けで拒絶査定がされ（発送日：同年８月４日）、これに対して同年１２月３日に審判請求がされたものである。そして、本願の請求項１に係る発明は、同年５月２５日付けの手続補正書の特許請求の範囲の請求項１に記載された事項により特定される以下のとおりのものである（以下、「本願発明」という。）。
　
「複数の物理的スロットを含むフレームによってデータが提供される無線ネットワークで動作可能な無線送受信ユニット（ＷＴＲＵ）において使用される方法であって、
　基地局から同期スケジュールを含むフレームを受信する工程であって、該同期スケジュールは、前記無線送受信ユニット（ＷＴＲＵ）を対象としたデータを含む少なくとも１つの物理的スロットを示し、
前記無線送受信ユニット（ＷＴＲＵ）を対象としたデータを含むと認識された少なくとも１つの物理的スロット期間中にデータを受信するステップと、
前記無線送受信ユニット（ＷＴＲＵ）を対象としたデータを含むと認識されない少なくとも１つの物理的スロット期間中に、動作を静止状態とするステップと
を具えたことを特徴とする方法。」
　
２　引用刊行物記載の発明　
　原査定の拒絶の理由に引用された、本願の優先日前である平成５年３月２６日に公開された特開平５−７５５２８号公報（以下「引用例」という。）には、図面（特に図３）と共に、次の事項が記載されている（下線は当審にて付与。）。
　
（１）　「【０００１】
【産業上の利用分野】本発明は、移動通信の
移動体通信システムの移動局着信制御に利用する
移動局のバッテリセービング動作
バッテリセービングのための間欠比の変更
送受信装置を備えた移動局
に利用でき
【０００２】
【従来の技術】図４は従来例の移動体通信システムの着信制御方式の着信制御チャネルの信号のフレームフォーマットおよび移動局の受信動作タイミングを示す図である。
【０００３】基地局は複数の移動局に対して着信情報をスロット化された一斉呼出し形式の着信制御チャネル（ＰＣＨ）で送信する。移動局は待受時において着信制御チャネルを受信し、着信の有無を知る。このときに移動局では消費電力の逓減化によるバッテリセービングを目的に着信制御チャネルの間欠受信を行う。
間欠受信は、移動局を群分けし、基地局は着信制御チャネルに対して着信情報を群ごとのスロットで送信し、移動局は自群の着信情報が送信されているスロットのみ受信する方式であ
【０００４】
連続受信方式
間欠受信方式
比Ｔ
B 
／Ｔ
A 
を間欠比と称する
　
（２）　「【００２４】移動局４０の各モードにおける、待受時の着信制御チャネルの受信スロットについて説明する。図３は
着信制御チャネルのフレームフォーマット
着信制御チャネルはハイパフレーム３０の繰返しで構成され
ハイパフレーム３０は第一スーパフレーム３１
1 
〜第四スーパフレーム３１
4 
で構成され
第一スーパフレーム３１
1 
〜第四スーパフレーム３１
4 
はスーパフレーム共通情報３３
1 
〜３３
4 
と１〜８群の着信情報３２
1 
〜３２
8 
の９スロットで構成され
　
（３）　「【００３１】次に、移動局４０のモードをユーザが変更した場合のモード設定変更動作について説明する。
ユーザが移動局４０のモードをモード切替スイッチ１６により変更した時点で
モード設定変更信号を基地局４１に対して送信させ
このモード設定変更信号には自局の移動局番号と新たに設定されたモードのモード識別番号が含まれ
【００３２】
このモード設定変更信号を受信した基地局４１は、このモード設定識別番号に含まれている移動局番号からこの移動局４０のモード設定が変更されたことを検知し
モード設定情報をこのモード設定変更信号に含まれるモード識別番号で示されるモードに変更
【００３３】
基地局４１は
モード設定情報の変更が完了したことを確認すると、移動局４０に対してモード設定変更完了信号を送信
このモード設定変更完了信号には、この移動局４０の移動局番号とモード設定変更完了を示す符号が含まれ
【００３４】
このモード設定変更完了信号を受信し、この信号に含まれる移動局番号が自局の移動局番号と等しいと判別した移動局４０は
スーパフレーム内の自局が属する群の着信情報部分のみの受信をハイパフレーム周期で繰返し、新たな受信タイミングに移行する
【００３５】以上のモード設定変更手続きにより
移動局４０はモード設定の変更を行い間欠比の異なる待受状態に移行する
　
　これらの引用例の記載から、次の発明（以下、「引用発明」という。）が認定できる。
　
「移動体通信システムの移動局着信制御に利用する、移動局のバッテリセービングのための間欠比の変更を行う、間欠受信方式であって、
　送受信装置を備えた移動局に利用でき、
　間欠受信は、移動局を群分けし、基地局は着信制御チャネルに対して着信情報を群ごとのスロットで送信し、移動局は自群の着信情報が送信されているスロットのみ受信する方式であり、
　着信制御チャネルのフレームフォーマットは、
着信制御チャネルはハイパフレームの繰返しで構成され、
ハイパフレームは第一スーパフレーム〜第四スーパフレームで構成され、
第一スーパフレーム〜第四スーパフレームは、それぞれスーパフレーム共通情報と１〜８群の着信情報の９スロットで構成されており、
　移動局のモードをユーザが変更した場合のモード設定変更動作において、
ユーザが移動局のモードをモード切替スイッチにより変更した時点で、モード設定変更信号を基地局に対して送信させ、このモード設定変更信号には自局の移動局番号と新たに設定されたモードのモード識別番号が含まれ、
このモード設定変更信号を受信した基地局は、このモード設定識別番号に含まれている移動局番号からこの移動局のモード設定が変更されたことを検知し、モード設定情報をこのモード設定変更信号に含まれるモード識別番号で示されるモードに変更し、
基地局は、モード設定情報の変更が完了したことを確認すると、移動局に対してモード設定変更完了信号を送信し、このモード設定変更完了信号には、この移動局の移動局番号とモード設定変更完了を示す符号が含まれ、
このモード設定変更完了信号を受信し、この信号に含まれる移動局番号が自局の移動局番号と等しいと判別した移動局は、スーパフレーム内の自局が属する群の着信情報部分のみの受信をハイパフレーム周期で繰返し、新たな受信タイミングに移行することによって、
移動局はモード設定の変更を行い間欠比の異なる待受状態に移行する、
間欠受信方式。」
　
３　対比　
（１）　引用発明のフレームフォーマットにおける「スロット」は、間欠受信方式において、移動局を群分けし、基地局が着信情報を群ごとの「スロット」で送信し、移動局は自群の着信情報が送信されている「スロット」のみ受信するように、ハードウエア装置の物理的な動作タイミングを定めるものであるから、本願発明の「複数の物理的スロット」に対応するといえる。
　引用発明のフレームフォーマットにおいて、複数のスロットで構成される「スーパ
フレーム
　引用発明において、群ごとのスロットで送信される「着信情報」と、本願発明の複数の物理的スロットを含むフレームによって提供される「データ」とは、「情報」である点で一致する。
　引用発明の「移動体通信システム」で利用できる「
送受信
　したがって、送受信装置を備えた移動局が、スーパフレーム内の自局が属する群の着信情報部分のみの受信をハイパフレーム周期で繰返す、引用発明の「間欠受信方式」は、本願発明の「複数の物理的スロットを含むフレームによって
データ
情報
　
（２）　引用発明の移動局が、基地局が群ごとのスロットで送信した着信情報のうち、スーパフレーム内の自局が属する群の着信情報部分のみの受信をハイパフレーム周期で繰返すことは、本願発明の「基地局から同期スケジュールを含むフレームを受信する工程」と「基地局からフレームを受信する工程」である点で一致する。
　
（３）　上記（１）記載のとおり、引用発明の「着信情報」と、本願発明の「データ」とは、「情報」である点で一致する。
　引用発明の移動局が受信する「スーパフレーム内の
自局が属する群の
前記無線送受信ユニット（ＷＴＲＵ）を対象とした
　引用発明の移動局は、間欠受信のために、自群の着信情報が送信されているスロットのみを受信するから、その前提として、スロットを「認識」していると認められる。よって、引用発明において、「送受信装置を備えた移動局」が、「スーパフレーム内の自局が属する群の着信情報部分のみの受信をハイパフレーム周期で繰返」すことは、本願発明の「前記無線送受信ユニット（ＷＴＲＵ）を対象とした
データ
データ
情報
情報
　
（４）　上記（１）記載のとおり、引用発明の「着信情報」と、本願発明の「データ」とは、「情報」である点で一致する。
　上記（３）記載のとおり、引用発明の移動局は、「
連続
間欠
自局が属する群の着信情報部分のみ
バッテリセービング
　したがって、引用発明の「送受信装置を備えた移動局」が、「スーパフレーム内の自局が属する群の
着信情報部分のみの受信
データ
情報
　
　したがって、両者の一致点、相違点は以下のとおりである。
　
［一致点］　
「複数の物理的スロットを含むフレームによって情報が提供される無線ネットワークで動作可能な無線送受信ユニット（ＷＴＲＵ）において使用される方法であって、
　基地局からフレームを受信する工程であって、
前記無線送受信ユニット（ＷＴＲＵ）を対象とした情報を含むと認識された少なくとも１つの物理的スロット期間中に情報を受信するステップと、
前記無線送受信ユニット（ＷＴＲＵ）を対象とした情報を含むと認識されない少なくとも１つの物理的スロット期間中に、動作を静止状態とするステップと
を具えたことを特徴とする方法。」である点。
 
［相違点１］
　本願発明において、フレームによって提供される情報は「データ」であるのに対して、引用発明のハイパフレーム構成の着信制御チャネルで送信される情報は「着信情報」であって、「データ」を提供することの明記がない点。
　
［相違点２］
　本願発明の「基地局からフレームを受信する工程」は、基地局から「同期スケジュールを含む」フレームを受信する工程であって、「該同期スケジュールは、前記無線送受信ユニット（ＷＴＲＵ）を対象としたデータを含む少なくとも１つの物理的スロットを示し」ているのに対して、引用発明は、移動局から基地局に「モード設定変更信号」を送信して、基地局から移動局に「モード設定変更完了信号」を返送するものであって、本願発明のような基地局からの「同期スケジュール」を受信することについて記載がない点。
　
４　当審の判断　
［相違点１について］
　一般に、移動無線システムにおいて、コンピュータ・データやデジタル音声信号のような「データ」を伝送することは、普通に行われる。
　また、引用発明における「着信情報」は、端末に着信を通知する「データ」ともいえる。
　よって、引用発明において、「着信情報」に代えて「データ」を伝送することによって、相違点１に係る構成とすることは、当業者が適宜なし得る設計的事項に過ぎない。
　
［相違点２について］
　一般に、移動無線システムにおいて、基地局等の外部装置から、端末の間欠受信の動作タイミングを制御する信号を送ることは、周知技術である（＜１＞特開２０００−２６１３６４号公報、【従来の技術】欄の段落【００１５】−【００１７】。特に「…
基地局から該移動局に対し、たとえば一斉呼出チャネル上のＰ３を受信するよう指定されたならば
自分（該移動局）の属する群の着呼信号の受信タイミングでのみ受信部を立ち上げ、間欠的に着呼の確認をする
前記移動局には
基地局から通知される
スロットを設定し
スロットで間欠受信する手段を備えた
網から移動機１５へ報知される
この間欠待受スーパーフレーム間隔（Ｐｉ）は、移動機１５が本第１実施形態の間欠受信（以下、高能率間欠受信という）を行うスーパーフレーム間隔を指定し
移動局装置は基地局から送出されるタイミング情報によって受信が間欠的に行われる
バッテリセービングパラメータフレームＢＳＰにおいては
スロットを示す情報を入れる
間欠受信を行う間隔を長くする時間を指定する操作を
親機制御部１３にて
子機２ａに対して間欠時間制御信号を送る
　
　よって、自群の着信情報が送信されているスロットのみを受信する間欠受信方式の引用発明において、移動局から「モード設定変更信号」を送信して基地局から「モード設定変更完了信号」を返送することによる移動局の動作タイミング制御に代えて、基地局等の外部装置から、端末の間欠受信の動作タイミングを制御する信号を送る周知技術を採用して、この際、無線送受信ユニット（ＷＴＲＵ）を対象としたデータを含む少なくとも１つの物理的スロットを示している同期スケジュールを用いるように構成して、相違点２に係る構成とすることは、当業者が容易に推考し得ることである。
　
　そして、本願発明のように構成したことによる効果も引用発明及び周知技術から予測できる程度のものである。
　
５　むすび　
　したがって、本願発明は、引用発明、並びに周知技術に基づいて、当業者が容易に発明をすることができたものであるから、本願は、特許法第２９条第２項の規定により特許を受けることができない。
　よって、結論のとおり審決する。